(57)【要約】【課題】良好な施工性、メンテナンス性を有すると共に、太陽電池モジュールを屋根にしっかり固定可能な太陽光発電装置を提供する。【解決手段】実施形態の一例である太陽光発電装置１０は、太陽電池モジュール１１Ａの内鍔部２５Ａに係合する第１係合部４０と、太陽電池モジュール１１Ｂの外溝２４Ｂに挿し込まれる第２係合部４１とを有し、屋根１００に固定されて太陽電池モジュール１１Ａ，１１Ｂを支持するベース金具３０と、ベース金具３０に取り付けられ、太陽電池モジュール１１Ａと太陽電池モジュール１１Ｂの間に配置されて太陽電池モジュール１１Ａの棟側端部に当接するストッパ５０とを備える。【選択図】図７
2018040229.tif 000002
【特許請求の範囲】
【請求項１】
太陽電池パネルと、当該パネルの端部に設置されたフレームとをそれぞれ有し、屋根の軒棟方向に隣り合って配置される第１及び第２の太陽電池モジュールを備え、前記各フレームが、モジュールの外側に向かって開口した外溝と、モジュールの内側に張り出した内鍔部とを有する太陽光発電装置であって、
前記第１の太陽電池モジュールの前記内鍔部に係合する第１係合部と、前記第２の太陽電池モジュールの前記外溝に挿し込まれる第２係合部とを有し、前記屋根に固定されて当該各太陽電池モジュールを支持するベース金具と、
前記ベース金具に取り付けられ、前記第１の太陽電池モジュールと前記第２の太陽電池モジュールとの間に配置されて前記第１の太陽電池モジュールの棟側端部に当接するストッパと、
を備える、太陽光発電装置。
【請求項２】
前記屋根の野地板上に敷設されるベースプレートを備え、
前記ベース金具は、前記ベースプレート上に取り付けられている、請求項１に記載の太陽光発電装置。
【請求項３】
前記ストッパは、少なくとも前記第１の太陽電池モジュールに対して棟方向への力が作用したときに、前記第１及び前記第２の太陽電池モジュールに当接する突っ張り部を有する、請求項１又は２に記載の太陽光発電装置。
【請求項４】
前記ストッパは、少なくとも前記第１の太陽電池モジュールに対して棟方向への力が作用したときに、前記第１及び前記第２の太陽電池モジュールに挟持される、請求項１〜３のいずれか１項に記載の太陽光発電装置。
【請求項５】
前記ベース金具は、前記各フレームが載せられる上面部に形成された開口部を有し、
前記ストッパは、前記開口部に挿し込まれる爪部を有する、請求項１〜４のいずれか１項に記載の太陽光発電装置。
【請求項６】
前記太陽光発電装置の軒側端部に取り付けられる軒カバーと、
前記第１の太陽電池モジュールの前記外溝に挿し込まれる軒側係合部と、前記軒カバーが固定される軒カバー固定部とを有し、前記屋根に固定されて前記軒カバー及び前記第１の太陽電池モジュールを支持する軒側ベース金具と、
を備える、請求項１〜５のいずれか１項に記載の太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、屋根上に所定間隔で設置された横桟のフレーム取付部に、太陽電池モジュールの下辺フレームの上下フランジを係合することで太陽電池モジュールを固定してなる太陽光発電装置が開示されている。
【先行技術文献】
【特許文献】
【０００３】
【特許文献１】再表２０１２／０９６２９７号公報
【発明の概要】
【発明が解決しようとする課題】
【０００４】
ところで、太陽光発電装置において、良好な施工性、メンテナンス性を確保しながら、太陽電池モジュールを屋根にしっかり固定できることは重要である。メンテナンス性に関して言えば、太陽光発電装置を構成する複数の太陽電池モジュールのうち一部のモジュールだけを容易に取り外して交換できることが求められている。
【課題を解決するための手段】
【０００５】
本開示の一態様である太陽光発電装置は、太陽電池パネルと、当該パネルの端部に設置されたフレームとをそれぞれ有し、屋根の軒棟方向に隣り合って配置される第１及び第２の太陽電池モジュールを備え、前記各フレームが、モジュールの外側に向かって開口した外溝と、モジュールの内側に張り出した内鍔部とを有する太陽光発電装置であって、前記第１の太陽電池モジュールの前記内鍔部に係合する第１係合部と、前記第２の太陽電池モジュールの前記外溝に挿し込まれる第２係合部とを有し、前記屋根に固定されて当該各太陽電池モジュールを支持するベース金具と、前記ベース金具に取り付けられ、前記第１の太陽電池モジュールと前記第２の太陽電池モジュールとの間に配置されて前記第１の太陽電池モジュールの棟側端部に当接するストッパとを備える。
【発明の効果】
【０００６】
本開示の一態様によれば、良好な施工性、メンテナンス性を有すると共に、太陽電池モジュールを屋根にしっかり固定可能な太陽光発電装置を提供できる。
【図面の簡単な説明】
【０００７】
【図１】実施形態の一例である太陽光発電装置の平面図である。
【図２】実施形態の一例である太陽電池モジュールの断面図である。
【図３】実施形態の一例である太陽光発電装置の分解斜視図である。
【図４】実施形態の一例であるベース金具の平面図である。
【図５】実施形態の一例であるベース金具の正面図である。
【図６】図５中のＣＣ線断面図である。
【図７】図１中のＡＡ線断面図である。
【図８】実施形態の一例であるストッパの斜視図である。
【図９】ベース金具に対するストッパの係合状態を示す図である。
【図１０】ベース金具からストッパを取り外す方法を説明するための図である。
【図１１】図１中のＢＢ線断面図である。
【発明を実施するための形態】
【０００８】
本開示の一態様である太陽光発電装置は、第１及び第２の太陽電池モジュールを支持するベース金具と、ベース金具に取り付けられ第１及び第２の太陽電池モジュールの隙間に配置されるストッパとを備える。ストッパは、例えば第１及び第２の太陽電池モジュールに当接して、第１の太陽電池モジュールの棟側への移動を防止する。かかる構成によれば、２枚の太陽電池モジュールをベース金具上に載せてストッパを取り付けるという簡単な方法によって、太陽光発電装置を施工できる。また、ストッパを取り外すことにより、例えば太陽光発電装置を構成する複数の太陽電池モジュールのうち１つのモジュールだけを容易に取り外して交換できる。各太陽電池モジュールは屋根にネジ止めされたベース金具上にしっかり固定され、優れた耐荷重性を有する太陽光発電装置が構築される。
【０００９】
以下、図面を参照しながら、実施形態の一例について詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の太陽光発電装置はこれに限定されない。
【００１０】
以下では、屋根の軒棟方向に沿うベース金具、ストッパ等の方向を「縦方向」という場合がある。また、屋根の桁方向（屋根の軒棟方向に垂直な方向）に沿うベース金具、ストッパ等の方向を「横方向（左右）」、屋根の野地板に垂直な方向に沿うベース金具、ストッパ等の方向を「上下方向」という。図面には、屋根の軒棟方向・縦方向を矢印α、屋根の桁方向・横方向を矢印β、上下方向を矢印γで示す。
【００１１】
図１は、実施形態の一例である太陽光発電装置１０の平面図である。図２は太陽光発電装置１０を構成する太陽電池モジュール１１の断面図、図３は太陽光発電装置１０の分解斜視図である。図１に例示するように、太陽光発電装置１０は、屋根１００の軒棟方向に隣り合って配置される太陽電池モジュール１１Ａ（第１の太陽電池モジュール）及び太陽電池モジュール１１Ｂ（第２の太陽電池モジュール）を備える。太陽光発電装置１０は、屋根１００に複数の太陽電池モジュール１１（１１Ａ，１１Ｂ）を取り付けて構築されている。
【００１２】
本明細書では、説明の便宜上、軒棟方向に隣り合って配置される２枚の太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有する。
【００１３】
図１〜図３に例示するように、各太陽電池モジュール１１は、太陽電池パネル１２と、当該パネルの端部に設置されたフレーム１３とをそれぞれ有する。各フレーム１３は、モジュールの外側に向かって開口した外溝２４と、モジュールの内側に張り出した内鍔部２５とを有する（図２参照）。詳しくは後述するが（図７参照）、太陽光発電装置１０は、ベース金具３０と、ストッパ５０とを備える。ベース金具３０は、太陽電池モジュール１１Ａの内鍔部２５Ａに係合する第１係合部４０と、太陽電池モジュール１１Ｂの外溝２４Ｂに挿し込まれる第２係合部４１とを有し、屋根１００に固定されて太陽電池モジュール１１Ａ，１１Ｂを支持する。ストッパ５０は、ベース金具３０に取り付けられ、太陽電池モジュール１１Ａと太陽電池モジュール１１Ｂとの間に配置されて太陽電池モジュール１１Ａの棟側端部を当接する。
【００１４】
太陽光発電装置１０は、屋根１００の桁方向に沿った太陽電池モジュール１１の列を複数有する。本実施形態では、平面視矩形形状の太陽電池モジュール１１の短辺が軒棟方向に略平行で、短辺同士が略接触した状態で各列を構成する複数の太陽電池モジュール１１が配置されている。図１に示す例では、各列を構成する太陽電池モジュール１１の数が同数であるが、太陽光発電装置を構成する太陽電池モジュールの数、配置等は特に限定されず、例えば太陽電池モジュールは千鳥状に配置されてもよい。
【００１５】
太陽光発電装置１０は、屋根１００の野地板１０２上に敷設されるベースプレート１４を備える。そして、ベース金具３０はベースプレート１４上に取り付けられる。屋根１００には、太陽光発電装置１０の周囲の少なくとも一部に屋根材１０１が配置される。一方、太陽光発電装置１０の下に屋根材１０１は配置されない。屋根材１０１としては、和瓦、洋瓦、平板瓦、スレート瓦等が例示できる。太陽光発電装置１０が設置可能な屋根１００の形状は特に限定されず、例えば寄棟屋根、方形屋根、切妻屋根のいずれであってもよい。なお、太陽光発電装置はベースプレート１４を有さない形態としてもよい。この場合、例えばベース金具３０が屋根材１０１上に配置され、野地板１０２に固定される。
【００１６】
太陽電池モジュール１１は、例えば平面視矩形形状の太陽電池パネル１２の四方を囲んでフレーム１３が設置された構造を有する。フレーム１３は、例えばアルミニウムを主成分とする金属材料を押出成形して得られる。フレーム１３の表面には、一般的に塗膜が形成されている。
【００１７】
図２に例示するように、フレーム１３は、中空の角柱形状を有する本体部２０と、モジュールの内側に向かって開口した内溝２２と、モジュールの外側に向かって開口した外溝２４とを有する。また、フレーム１３はモジュールの内側に張り出した内鍔部２５を有する。フレーム１３は、本体部２０の上面に立設した鉤部２１を有し、本体部２０の上面と鉤部２１との間に太陽電池パネル１２を挿入可能な隙間である内溝２２が形成される。鉤部２１は、本体部２０の外側から上方に真っ直ぐ延び、途中で内側に折れ曲がって断面略Ｌ字状に形成されている。フレーム１３には、内鍔部２５と反対側（外側）に延びた底板２３が設けられ、本体部２０の下面と底板２３との間に外溝２４が形成される。
【００１８】
図３に例示するように、ベースプレート１４は、野地板１０２上に複数敷設される。本実施形態では、ベースプレート１４を貫通するネジによって、ベース金具３０が野地板１０２に直接固定される。ベースプレート１４は、例えば平面視矩形形状の板金であって、ベース金具３０と共に野地板１０２に固定される。ベース金具３０は野地板１０２上に直接固定することも可能であるが、ベースプレート１４を用いることでベース金具３０の位置合わせが容易になり施工性が向上する。
【００１９】
ベースプレート１４は、例えば１枚の太陽電池モジュール１１の裏側に２枚ずつ設けられる。ベースプレート１４は、例えば屋根１００の軒側の桁方向一方側（以下、「左側」とする）から野地板１０２上に配置される。左側に配置されるベースプレート１４上には、桁方向他方側（以下、「右側」とする）に隣接配置されるベースプレート１４の一部が重ねられる。また、軒側に配置されるベースプレート１４上には、棟側に隣接配置されるベースプレート１４の一部が重ねられる。このようにして、ベースプレート１４は軒側の左から棟側の右に向かって順に設置される。
【００２０】
ベースプレート１４（下のベースプレート）の上に重ねられるベースプレート１４（上のベースプレート）は、下のベースプレート１４に設置されるベース金具３０によって上に浮き上がらないように押えられる。即ち、上のベースプレート１４の端部は、下のベースプレート１４とベース金具３０との間に挿し込まれ、ベース金具３０はベースプレート１４の浮き止めとしても機能する。太陽光発電装置１０の横方向両端部にはサイドプレート１５が、軒側端部には軒先ベースプレート１６がそれぞれ設けられる。一般的に、野地板１０２の上には防水シートが設けられ、ベースプレート１４の縁部等には防水テープが貼着される（いずれも図示せず）。
【００２１】
ベース金具３０は、屋根１００の桁方向に沿って、各ベースプレート１４の棟側端部に１つずつ配置される。桁方向に隣接配置される各ベース金具３０は、互いに接続され、桁方向に沿って一列に並ぶことが好ましい。本実施形態では、上述のように、各ベースプレート１４の端部同士を重ねて配置する。各ベースプレート１４の横方向長さは、ベース金具３０の横方向長さより長く、ベースプレート１４の横方向両端部がベース金具３０の横方向両端から延出している。
【００２２】
太陽光発電装置１０の軒側端部には、軒カバー９０が設けられる。また、太陽光発電装置１０の棟側端部には棟カバー９５（図１参照）が設けられる。軒カバー９０及び棟カバー９５は、屋根１００の桁方向に延びる金属製の部材であって、例えば太陽電池モジュール１１の長辺と略同じ長さを有する。本実施形態では、軒カバー９０が軒先ベースプレート１６上に設置された軒側ベース金具７０上に固定され、棟カバー９５がベース金具３０上に固定される。
【００２３】
１枚の太陽電池モジュール１１の裏側には、例えば２枚のベースプレート１４が敷設され、少なくとも４本のベース金具３０、又はベース金具３０と軒側ベース金具７０が２本ずつ配置される。１枚の太陽電池モジュール１１は、４本のベース金具上に載せられて支持される。
【００２４】
以下、図４〜図９を参照し、屋根１００に対する太陽電池モジュール１１Ａ，１１Ｂの取り付け構造、特にベース金具３０、及びストッパ５０について詳説する。図４はベース金具３０の平面図、図５はベース金具３０の正面図、図６はベース金具３０の断面図（図５中のＣＣ線断面図）である。
【００２５】
図４〜図６に例示するように、ベース金具３０は、台座部３１と、固定部３２とを有する。台座部３１は、太陽電池モジュール１１Ａ，１１Ｂが載せられ、ストッパ５０（後述の図７等参照）が取り付けられる部分である。固定部３２は、ベースプレート１４を介して野地板１０２にネジ止めされる部分である。固定部３２は、略平坦な板状に形成されており、台座部３１の軒側端部から軒側に延びている。図４に示す例では、ベース金具３０の横方向中央から略等距離の左右２箇所に固定部３２が設けられている。固定部３２には、ベースプレート１４を貫通して野地板１０２に固定されるネジ３３（後述の図７参照）を通すための貫通孔３４が複数形成される。
【００２６】
ベース金具３０は、上述のように、太陽電池モジュール１１Ａのフレーム１３Ａと係合する第１係合部４０と、太陽電池モジュール１１Ｂのフレーム１３Ｂと係合する第２係合部４１とを有する。第１係合部４０及び第２係合部４１は、台座部３１に設けられる。第１係合部４０は、第２係合部４１よりも軒側に設けられ、ベース金具３０の第１係合部４０と第２係合部４１との間にストッパ５０が取り付けられる。
【００２７】
台座部３１は、上面部３１ａと、上面部３１ａの縦方向両端から下方にそれぞれ延びる側面部３１ｂ，３１ｃとを有し、ベース金具３０の全長にわたって形成される。第１係合部４０及び第２係合部４１は、上面部３１ａに立設している。上面部３１ａは、フレーム１３Ａ，１３Ｂが屋根１００の野地板１０２に対して同じ高さとなるように支持することが好適であり、上面部３１ａのフレーム１３Ａ，１３Ｂが載せられる部分は、互いに略同じ高さで、野地板１０２と略平行に形成されている。
【００２８】
台座部３１は、棟側に隣接配置されたベースプレート１４の端部が挿し込まれる凹部３５（図６参照）と、右側に隣接配置されたベースプレート１４の端部が挿し込まれる切欠き３６（図５参照）とを有する。また、台座部３１の横方向中央部には切欠き３７（図５参照）が形成されている。切欠き３６，３７は側面部３１ｂ，３１ｃの下部を切欠いて形成される。切欠き３７は、各固定部３２の間に形成される。切欠き３７は、例えばベース金具３０によって雨水等が堰き止められることを防止するために形成される。また、切欠き３７には太陽電池モジュール１１に接続されるケーブルが通されてもよい。
【００２９】
第１係合部４０は、上面部３１ａの軒側端部に立設している。第１係合部４０は、上面部３１ａとの間にフレーム１３Ａの内鍔部２５Ａを挿入可能な隙間をあけて断面略Ｌ字状に形成される。つまり、上面部３１ａの軒側端部から上方に真っ直ぐ延び、途中で棟側に折れ曲がって断面略Ｌ字状に形成される。第１係合部４０は、ベース金具３０の全長にわたって設けられている。
【００３０】
第２係合部４１は、第１係合部４０との間にフレーム１３Ａ及びストッパ５０を配置できるスペースをあけ、かつ上面部３１ａの棟側端部との間にフレーム１３Ｂを配置できるスペースをあけて、上面部３１ａの縦方向中央部に立設している。第２係合部４１は、上面部３１ａとの間にフレーム１３Ｂの底板２３Ｂを挿入可能な隙間をあけて断面略Ｌ字状に形成される。つまり、上面部３１ａの縦方向中央部から上方に真っ直ぐ延び、途中で棟側に折れ曲がって断面略Ｌ字状に形成される。第２係合部４１は、後述の排水口４５が形成された部分を除く、ベース金具３０の全長にわたって設けられている。
【００３１】
ベース金具３０は、フレーム１３Ａ，１３Ｂが載せられる上面部３１ａに形成された開口部４２，４４を有する。そして、後述の図７等に示すように、ストッパ５０は開口部４２，４４に挿し込まれる爪部（第１爪部５５及び第２爪部５６）を有する。また、ストッパ５０は下方に突出した脚部５２を有していてもよく、上面部３１ａには脚部５２が挿し込まれる開口部４３が形成されていてもよい。開口部４２，４３，４４は、第１係合部４０と第２係合部４１との間であって第２係合部４１の近傍に形成されることが好ましい。
【００３２】
開口部４２，４３，４４は、ベース金具３０の横方向に並んで、この順で形成されている。各開口部は横方向に長い平面視矩形形状を有し、開口面積は開口部４３が最も大きく、開口部４４が最も小さい。なお、各開口部の形状、開口面積、数等は、ストッパの爪部等の形状、寸法、数等に応じて適宜変更できる。３つの開口部４２，４３，４４を一組として、ストッパ５０の取り付け部が１つ構成される。開口部の組は台座部３１の横方向中央と左右両端との間の２箇所に形成されており、台座部３１には２つのストッパ５０を取り付けることができる。各ベース金具３０には、少なくとも１つのストッパ５０が取り付けられる。
【００３３】
ベース金具３０は、台座部３１の第２係合部４１が設けられた部分を切除して形成された排水口４５を有していてもよい。図４に示す例では、ベース金具３０の横方向中央部に排水口４５が形成されている。また、ベース金具３０は、後述のジョイント金具４７が挿入される部分であるジョイント挿入部４８を有していてもよい。図６に示す例では、台座部３１の軒側にジョイント挿入部４８が形成されている。
【００３４】
台座部３１は、フレーム１３Ｂの内鍔部２５Ｂの棟側に立設する立壁部４６を有することが好ましい。立壁部４６は、台座部３１の棟側端部において、フレーム１３Ｂの設置に支障がない高さで、内鍔部２５Ｂの先端と対面する位置に形成されている。立壁部４６は、例えば上面部３１ａに対して略垂直に形成される。
【００３５】
図７は、図１中のＡＡ線断面図であって、太陽電池モジュール１１Ａ，１１Ｂの境界部及びその近傍の断面図である。図７に例示するように、ベース金具３０は、太陽電池モジュール１１Ａの棟側端部と、太陽電池モジュール１１Ｂの軒側端部とに跨って設けられる。ベース金具３０は、太陽電池モジュール１１Ａの下で野地板１０２に固定されている。固定部３２に取り付けられたネジ３３は、ベースプレート１４を貫通して野地板１０２に固定される。太陽電池モジュール１１Ａ，１１Ｂのフレーム１３Ａ，１３Ｂは、台座部３１の上面部３１ａに載せられ、野地板１０２からの高さが互いに略同じとなるように支持されている。
【００３６】
フレーム１３Ａは、上面部３１ａの軒側部分であって第１係合部４０と第２係合部４１の間に載せられ、内鍔部２５Ａが第１係合部４０と上面部３１ａの間に挿し込まれている。第１係合部４０は、内鍔部２５Ａ上に張り出し、内鍔部２５Ａを上から押えてフレーム１３Ａが持ち上がることを防止する。第１係合部４０と内鍔部２５Ａの上面との間には小さな隙間が存在していてもよく、第１係合部４０が内鍔部２５Ａの上面に常時当接していてもよい。このように、内鍔部２５Ａが第１係合部４０と上面部３１ａの間に挿し込まれ、第１係合部４０が内鍔部２５Ａ上に張り出すことによって、ベース金具３０にフレーム１３Ａが係合する。
【００３７】
フレーム１３Ｂは、上面部３１ａの棟側部分であって第２係合部４１よりも棟側に載せられ、底板２３Ｂが第２係合部４１と上面部３１ａの間に挿し込まれている。また、外溝２４Ｂには２係合部４１が挿し込まれている。このように、底板２３Ｂが第２係合部４１と上面部３１ａの間に挿し込まれ、外溝２４Ｂに第２係合部４１が挿し込まれることによって、ベース金具３０にフレーム１３Ｂが係合する。また、フレーム１３Ｂの棟側には内鍔部２５Ｂの先端と対面する位置に立壁部４６が設けられているため、太陽電池モジュール１１Ｂの棟側への移動が防止される。
【００３８】
台座部３１に載せられたフレーム１３Ａ，１３Ｂの間には隙間Ｓが存在する。隙間Ｓは、太陽電池モジュール１１Ａを棟側に移動させて取り外す際に必要である。隙間Ｓは、例えば第１係合部４０の内鍔部２５Ａ上に張り出す部分の軒棟方向長さよりも長い幅で形成される。太陽光発電装置１０では、隙間Ｓにストッパ５０が設けられる。第１係合部４０及び第２係合部４１が各フレームにそれぞれ係合しただけの状態では、太陽電池モジュール１１Ａ，１１Ｂが軒棟方向に動くことが想定されるため、ストッパ５０を取り付けて太陽電池モジュール１１Ａ，１１Ｂが軒棟方向に動かないようにする。つまり、各太陽電池モジュール１１は、軒側端部が第２係合部４１又は後述の軒側係合部によって固定され、棟側端部が第１係合部４０及びストッパ５０によって固定される。
【００３９】
屋根１００の桁方向に隣接配置される各ベース金具３０は、ジョイント金具４７を用いて接続される。ジョイント金具４７は、長手方向に真っ直ぐに延びた長尺状部材である。ベース金具３０の台座部３１には、ジョイント金具４７の形状に対応したジョイント挿入部４８が形成されている。桁方向に隣接する２つのベース金具３０の各ジョイント挿入部４８に１本のジョイント金具４７を挿入することによって、当該各ベース金具３０が桁方向に真っ直ぐに並んだ状態で接続される。
【００４０】
図８はストッパ５０の斜視図、図９はベース金具３０に対するストッパ５０の係合状態を示す図である。図７〜図９に例示するように、ストッパ５０は、第１爪部５５及び第２爪部５６を有し、第１爪部５５及び第２爪部５６が上面部３１ａに形成された開口部４２，４４にそれぞれ挿し込まれることによって、ベース金具３０に取り付けられる。即ち、ストッパ５０の各爪部が各開口部の縁部に引っ掛かることで、ストッパ５０がベース金具３０の台座部３１に係合する。
【００４１】
ストッパ５０は、台座部３１上においてフレーム１３Ａ，１３Ｂの間に配置される基部５１と、基部５１の下端部から下方に突出して上面部３１ａに形成された開口部４３に挿し込まれる脚部５２とを有する。基部５１は、金属板を縦方向に複数回折り曲げて波板状に形成されており、横方向両端部に上下方向及び縦方向に沿った端壁部（第１端壁部５３及び第２端壁部５４）をそれぞれ有する。基部５１は、上下方向よりも横方向に長く形成されている。ストッパ５０の上下方向長さは、例えばフレーム１３Ａ，１３Ｂの上下方向長さよりも短い。
【００４２】
ストッパ５０には、横方向一端部に第１爪部５５が、横方向他端部に第２爪部５６がそれぞれ設けられる。第１爪部５５は基部５１の第１端壁部５３から下方に突出し、第２爪部５６は基部５１の第２端壁部５４から下方に突出している。第１爪部５５及び第２爪部５６は、いずれも爪部の先端が付け根よりも横方向一方側に位置するように形成されている。また、基部５１には、第１端壁部５３の端部に形成された金属板の折り曲げ部に沿って、第１端壁部５３の下端からスリット５７が形成されている。スリット５７は、例えば第１端壁部５３の上下方向長さの５０％〜８０％の長さで形成される。
【００４３】
第１爪部５５は、付け根の近傍が横方向他方側に折り曲げられ、再び横方向一方側に折り返されて横方向一方側に延びた形状を有する。第１爪部５５は、横方向他方側に凸となるように折り曲げられた屈曲部５５ａと、先端近傍を上方に折り曲げて形成された先端壁部５５ｂとを有する。他方、第２爪部５６は、中間部で横方向一方側に折り曲げられた略Ｌ字形状を有する。図９に示す例では、第１爪部５５の屈曲部５５ａが開口部４２の縁部に引っ掛かり、第２爪部５６の先端部分が開口部４４の縁部に引っ掛かることで、ストッパ５０が台座部３１の上面部３１ａに係合している。
【００４４】
詳しくは後述するが、第１端壁部５３の下部は、基部５１の下端から上下方向に沿って形成されたスリット５７によって横方向に弾性変形可能であり、ストッパ５０を脱着する際には第１爪部５５が横方向一方側に動く。このため、台座部３１の上面部３１ａに対して、図９に例示するようなストッパ５０の取り付けが可能となる。ストッパ５０は、第１端壁部５３の上端から横方向一方側に突出した第１突出部５８と、第２端壁部５４の上端から横方向他方側に突出した第２突出部５９とを有する。各突出部は、台座部３１からストッパ５０を取り外す際に使用される。
【００４５】
ストッパ５０は、少なくとも太陽電池モジュール１１Ａに対して棟方向への力が作用したときに、太陽電池モジュール１１Ａ及び太陽電池モジュール１１Ｂに当接する突っ張り部６０を有することが好ましい。ストッパ５０は、太陽電池モジュール１１Ｂに当接することなく太陽電池モジュール１１Ａを押えてもよいが、好ましくは太陽電池モジュール１１Ｂを利用して太陽電池モジュール１１Ａを押える。この場合、太陽電池モジュール１１Ｂによって棟側からストッパ５０が支持されるため、ボルト等を用いて台座部３１にストッパ５０を固定しなくても、太陽電池モジュール１１Ａを押えて当該モジュールの棟側への移動を防止できる。
【００４６】
突っ張り部６０は、ストッパ５０の上部に設けられ、フレーム１３Ａ，１３Ｂの上下方向中央よりも上部に当接することが好ましい。本実施形態では、ストッパ５０を構成する金属板を折り曲げて、基部５１の上端から軒棟方向に沿って棟側に延びる突っ張り部６０が形成されており、突っ張り部６０の先端のみがフレーム１３Ｂに当接する。突っ張り部６０は、基部５１の横方向中央から略等距離の左右２箇所に形成されている。
【００４７】
ストッパ５０は、上述のように、隙間Ｓにおいてフレーム１３Ａ，１３Ｂに挟まれた状態で配置される。ストッパ５０は、フレーム１３Ａのみに、又はフレーム１３Ａ，１３Ｂの両方に接触した状態で取り付けられてもよいが、ストッパ５０の取り外しに支障がないようにストッパ５０と各フレームとの間には僅かな隙間が存在することが好ましい（図７参照）。ストッパ５０は、少なくとも太陽電池モジュール１１Ａに対して棟側への力が作用したときにフレーム１３Ａに当接し、好ましくは突っ張り部６０によりフレーム１３Ａ，１３Ｂの両方に当接して、フレーム１３Ａを棟側から押える。つまり、ストッパ５０は、少なくとも太陽電池モジュール１１Ａに対して棟方向への力が作用したときに、太陽電池モジュール１１Ａ，１１Ｂに挟持されることが好ましい。
【００４８】
ストッパ５０は、フレーム１３Ａ，１３Ｂの上端よりも上方に突出していてもよいが、図７に例示するように、フレーム１３Ａ，１３Ｂの上端から突出しないように設けられることが好ましい。
【００４９】
図１０は、ベース金具３０からストッパ５０を取り外す様子を示す図である。図１０に例示するように、台座部３１の上面部３１ａに取り付けられたストッパ５０は、もう１つのストッパ５０Ｘを用いて上面部３１ａから容易に取り外すことができる。ストッパ５０，５０Ｘは同じものであるが、説明の便宜上、異なる符号を用いて説明する。ストッパ５０は、例えば当該ストッパにより押えられる太陽電池モジュール１１Ａを交換する際に取り外される。ストッパ５０Ｘは、目的とする太陽電池モジュール１１Ａの棟側に形成された隙間Ｓに挿入して使用される。つまり、ストッパ５０の取り外しは、棟側の太陽電池モジュール１１Ｂを設置した状態で行うことができる。
【００５０】
ストッパ５０には、上述のように、第１端壁部５３の端部に形成された金属板の折り曲げ部に上下方向に沿ってスリット５７が形成されている。このため、第１端壁部５３につながった第１爪部５５を横方向一方側に引っ張ると、第１端壁部５３のうちスリット５７の先端に対応する部分より下の部分（以下、「可動部」という）を横方向一方側に曲げることができる。第１端壁部５３の可動部は、通常、弾性変形するため、引っ張り力を取り除くと、曲がった可動部は上下方向に沿った元の形状に戻る。そして、第１爪部５５は可動部の変形に伴って横方向に動く。
【００５１】
ストッパ５０は、ストッパ５０Ｘを用いて第１端壁部５３の可動部を変形させ第１爪部５５を横方向一方側に動かすことで、台座部３１から取り外すことができる。具体的には、まず、第２突出部５９Ｘが下方に向くようにストッパ５０Ｘを隙間Ｓに挿入する。次に、第１爪部５５が挿し込まれた開口部４２に第２突出部５９Ｘを挿入して、第１爪部５５の先端壁部５５ｂに押し当てる。このとき、ストッパ５０Ｘの突っ張り部６０Ｘを第１突出部５８に押し当てた状態で、第２突出部５９Ｘ側を横方向一方側に動かすことで、第１突出部５８を支点として第１端壁部５３の可動部を横方向一方側に曲げることができる。これにより、第１端壁部５３につながった第１爪部５５が横方向一方側に動き、屈曲部５５ａが開口部４２の縁部から外れることで、ストッパ５０を矢印の方向に引き上げることが可能となり、台座部３１から取り外すことができる。
【００５２】
なお、ストッパ５０は、開口部４４に第２爪部５６を挿し込んだ後、図１０の矢印と反対方向に回動させて開口部４２に第１爪部５５を挿し込むことで、台座部３１に取り付けることができる。このとき、第１爪部５５が上面部３１ａに押し付けられ、第１端壁部５３の可動部が弾性変形することによって、第１爪部５５が開口部４２に挿し込まれる。
【００５３】
図１１は、図１中のＢＢ線断面図であって、太陽光発電装置１０の軒側端部及びその近傍の断面図である。図１１に例示するように、太陽光発電装置１０は、装置の軒側端部に取り付けられる軒カバー９０と、屋根１００に固定されて軒カバー９０及び太陽電池モジュール１１Ａのフレーム１３Ａを支持する軒側ベース金具７０とを備える。軒側ベース金具７０は、太陽電池モジュール１１Ａの外溝２４Ａに挿し込まれる係合部８０（軒側係合部）と、軒カバー９０が固定される軒カバー固定部８１とを有する。軒カバー９０は、軒側ベース金具７０等を隠すための化粧カバーである。
【００５４】
軒側ベース金具７０は、台座部７１と、固定部７２とを有し、凹部７５、係合部８０、立壁部８６、及びジョイント挿入部８８が設けられている点で、ベース金具３０と共通する。また、台座部７１には、ベース金具３０の場合と同様に、排水口、切欠き等が形成されている（いずれも図示せず）。なお、固定部７２は台座部７１の棟側端部から棟側に延びており、ジョイント挿入部８８は台座部７１の棟側に形成されている。
【００５５】
軒側ベース金具７０には、第１係合部４０は設けられず、代わりに軒カバー固定部８１が設けられている。軒カバー固定部８１は、台座部７１の軒側端部と係合部８０との間に立設している。軒カバー固定部８１は、台座部７１に載せられたフレーム１３Ａよりも低い高さで、台座部７１の上面部及び野地板１０２に対して略垂直に形成されている。
【００５６】
軒カバー９０は、軒カバー固定部８１に沿って上下方向に延びた基部９１と、基部９１の上端部から太陽電池モジュール１１Ａの受光面と略平行に延びた天面部９２と、天面部９２の軒側端部から下方に延びて軒側ベース金具７０等を隠す斜面部９３とを有する。斜面部９３は、上下方向及び軒棟方向に交差する方向に傾斜し、野地板１０２の近傍にわたって形成される。基部９１の上部には、軒側に突出した断面略Ｌ字形状の鉤部９４が形成されている。軒カバー９０は、基部９１と鉤部９４の間に軒カバー固定部８１の上端部を挿し込み、ネジ８２を用いて基部９１を軒カバー固定部８１に固定することで、軒側ベース金具７０に取り付けられる。
【００５７】
ここで、上記構成を備えた太陽光発電装置１０の施工手順の一例について説明する。太陽光発電装置１０は、上述のように、ベースプレート１４、ベース金具３０、及び軒側ベース金具７０等を野地板１０２上に設置した後、太陽電池モジュール１１を屋根１００の軒側から順に配置して施工される。軒先ベースプレート１６上に設置された軒側ベース金具７０上には、軒カバー９０がネジ止めされ、太陽電池モジュール１１Ａの軒側端部が固定される。太陽電池モジュール１１Ａの軒側端部は、フレーム１３Ａの外溝２４Ａに係合部８０が挿し込まれることで軒側ベース金具７０上に取り付けられる。次に、太陽電池モジュール１１Ａの棟側端部がベース金具３０上に取り付けられ、太陽電池モジュール１１Ｂの軒側端部がベース金具３０上に取り付けられる。
【００５８】
各太陽電池モジュール１１は、当該各モジュールの棟側に設けられるベース金具３０にストッパ５０を取り付けることで各ベース金具に固定される。各太陽電池モジュール１１は、軒側端部が第２係合部４１又は係合部８０によって固定され、棟側端部が第１係合部４０及びストッパ５０によって固定される。ストッパ５０は、上述のように、ベース金具３０に対して容易に取り付け可能である。太陽光発電装置１０は、２枚の太陽電池モジュール１１Ａ，１１Ｂをベース金具３０上に載せてストッパ５０を取り付けるという簡単な方法によって施工することができる。なお、太陽光発電装置１０の桁方向両端部には、各太陽電池モジュール１１の桁方向への移動を防止する固定金具等（図示せず）を設置することが好ましい。
【００５９】
以上のように、上記構成を備えた太陽光発電装置１０によれば、良好な施工性、メンテナンス性を有すると共に、太陽電池モジュール１１を屋根にしっかり固定することができる。太陽光発電装置１０では、例えば目的とする太陽電池モジュール１１の棟側端部に当接するストッパ５０をベース金具３０から取り外すことで、当該モジュールだけを容易に取り外して交換することができる。太陽光発電装置１０は、優れた耐荷重性を有するにも関わらず、施工性、メンテナンス性が良好である。
【符号の説明】
【００６０】
１０  太陽光発電装置、１１，１１Ａ，１１Ｂ  太陽電池モジュール、１２  太陽電池パネル、１３，１３Ａ，１３Ｂ  フレーム、１４  ベースプレート、１５  サイドプレート、１６  軒先ベースプレート、２０，２０Ａ，２０Ｂ  本体部、２１  鉤部、２２  内溝、２３，２３Ｂ  底板、２４，２４Ａ，２４Ｂ  外溝、２５，２５Ａ，２５Ｂ  内鍔部、３０  ベース金具、３１  台座部、３１ａ  上面部、３１ｂ，３１ｃ  側面部、３２  固定部、３３  ネジ、３４  貫通孔、３５  凹部、３６，３７  切欠き、４０  第１係合部、４１  第２係合部、４２，４３，４４，  開口部、４５  排水口、４６  立壁部、４７  ジョイント金具、４８  ジョイント挿入部、５０  ストッパ、５１  基部、５２  脚部、５３  第１端壁部、５４  第２端壁部、５５  第１爪部、５５ａ  屈曲部、５５ｂ  先端壁部、５６  第２爪部、５７  スリット、５８  第１突出部、５９  第２突出部、６０  突っ張り部、７０  軒側ベース金具、７１  台座部、７２  固定部、７５  凹部、８０  係合部、８１  軒カバー固定部、８２  ネジ、８６  立壁部、８８  ジョイント挿入部、９０  軒カバー、９１  基部、９２  天面部、９３  斜面部、９４  鉤部、９５  棟カバー、１００  屋根、１０１  屋根材、１０２  野地板、Ｓ  隙間
【図１】
2018040229.tif 000003
【図２】
2018040229.tif 000004
【図３】
2018040229.tif 000005
【図４】
2018040229.tif 000006
【図５】
2018040229.tif 000007
【図６】
2018040229.tif 000008
【図７】
2018040229.tif 000009
【図８】
2018040229.tif 000010
【図９】
2018040229.tif 000011
【図１０】
2018040229.tif 000012
【図１１】
2018040229.tif 000013